(57)【要約】      （修正有）【課題】記録担体による再生を行うことでユーザの利便性と権利者の意図しない複製の事実上の防止を図る。【解決手段】再生システムにおいて、記録担体２０を携帯装置に近接させると、記録担体の電源部３０は、アンテナ２６にて受信した信号から電源電圧を得て各部に供給する。これにより、送信手段２２は、記録部２８に記録されている担体ＩＤを、近距離通信部によって送信する。携帯装置の初期受信手段は、アンテナ４２及び近距離通信部によってこれを受信し担体ＩＤを取得する。初期受信手段から、近距離通信部及びアンテナを介して読出要求が送信されると、記録担体２０の送信手段２２は、記録部２８に記録されている音楽データを送信する。音楽データ受信手段４６は、送信されてきた音楽データを受信し再生手段５２に与える。再生手段は、音楽データを再生して音信号とし、音出力部に与える。音出力部は、音信号を音として出力する。【選択図】図１
2020198029.tif 000002
【特許請求の範囲】
【請求項１】
記録担体と端末装置とサーバ装置を備えた再生システムにおいて、
前記記録担体は、
近距離無線通信の可能な端末装置からの電波を受けるアンテナと、
受信した電波に基づいて電力を得る電源部と、
担体ＩＤを記録した記録部と、
電源部による電力供給を受けて、前記端末装置と通信を行い、前記記録部に記録されている前記担体ＩＤを通信部によって送信する送信手段とを備え、
前記端末装置は、
近距離無線通信を行うためのアンテナと、
前記アンテナを介して、前記記録担体から担体ＩＤを通信部により受信するＩＤ受信手段と、
記録担体に対応付けて保持されているアクティベーションコードを取得するアクティベーションコード取得手段と、
少なくとも前記受信した担体ＩＤを伴ってサーバ装置に対してストリーミング要求を送信し、少なくとも前記受信した担体ＩＤとアクティベーションコードとユーザＩＤを伴ってサーバ装置に対してアクティベーション要求を送信し、少なくともコンテンツＩＤとユーザＩＤを伴ってダウンロード要求を送信する要求送信手段と、
サーバ装置から送信されてくるコンテンツを受信するコンテンツ受信手段と、
ストリーミング要求に対してサーバ装置から送信されてくるコンテンツを恒久的に記録せず再生しまたは恒久的に記録されたコンテンツを再生するコンテンツ再生手段と、
ダウンロード要求に対してサーバ装置から送信されてくるコンテンツを恒久的に記録するコンテンツ記録手段とを備え、
前記サーバ装置は、
ストリーミング要求、アクティベーション要求またはダウンロード要求を受信する要求受信手段と、
ストリーミング要求を受けると、送信されてきた前記担体ＩＤに対応付けて記録されているコンテンツを前記再生装置に対して送信するストリーミング処理手段と、
アクティベーション要求を受けると、担体ＩＤとアクティベーションコードの組合せが予め記録された組み合わせと合致するかどうかを判断し、合致すれば、当該担体ＩＤに対応付けてユーザＩＤを記録してアクティベーションを行うアクティベーション処理手段と、
ダウンロード要求を受けると、当該ユーザがアクティベーションをしているかどうかを判断し、アクティベーションをしていれば、前記担体ＩＤに対応づけて記録されているコンテンツを前記再生装置に対して送信するダウンロード処理手段とを備えた再生システム。
【請求項２】
近距離無線通信を行うためのアンテナと、
前記アンテナを介して、前記記録担体から担体ＩＤを通信部により受信するＩＤ受信手段と、
記録担体に対応付けて保持されているアクティベーションコードを取得するアクティベーションコード取得手段と、
少なくとも前記受信した担体ＩＤを伴ってサーバ装置に対してストリーミング要求を送信し、少なくとも前記受信した担体ＩＤとアクティベーションコードとユーザＩＤを伴ってサーバ装置に対してアクティベーション要求を送信し、少なくともコンテンツＩＤとユーザＩＤを伴ってダウンロード要求を送信する要求送信手段と、
サーバ装置から送信されてくるコンテンツを受信するコンテンツ受信手段と、
ストリーミング要求に対してサーバ装置から送信されてくるコンテンツを恒久的に記録せず再生しまたは恒久的に記録されたコンテンツを再生するコンテンツ再生手段と、
ダウンロード要求に対してサーバ装置から送信されてくるコンテンツを恒久的に記録するコンテンツ記録手段と、
を備えた端末装置。
【請求項３】
コンピュータによって端末装置を実現するための端末プログラムであって、コンピュータを、
近距離無線通信にて担体ＩＤの記録された記録担体との通信を行うためのアンテナを介して、前記記録担体から担体ＩＤを通信部により受信するＩＤ受信手段と、
記録担体に対応付けて保持されているアクティベーションコードを取得するアクティベーションコード取得手段と、
少なくとも前記受信した担体ＩＤを伴ってサーバ装置に対してストリーミング要求を送信し、少なくとも前記受信した担体ＩＤとアクティベーションコードとユーザＩＤを伴ってサーバ装置に対してアクティベーション要求を送信し、少なくともコンテンツＩＤとユーザＩＤを伴ってダウンロード要求を送信する要求送信手段と、
サーバ装置から送信されてくるコンテンツを受信するコンテンツ受信手段と、
ストリーミング要求に対してサーバ装置から送信されてくるコンテンツを恒久的に記録せず再生しまたは恒久的に記録されたコンテンツを再生するコンテンツ再生手段と、
ダウンロード要求に対してサーバ装置から送信されてくるコンテンツを恒久的に記録するコンテンツ記録手段として機能させるための端末プログラム。
【請求項４】
ストリーミング要求、アクティベーション要求またはダウンロード要求を受信する要求受信手段と、
ストリーミング要求を受けると、送信されてきた担体ＩＤに対応付けて記録されているコンテンツを再生装置に対して送信するストリーミング処理手段と、
アクティベーション要求を受けると、担体ＩＤとアクティベーションコードの組合せが予め記録された組み合わせと合致するかどうかを判断し、合致すれば、当該担体ＩＤに対応付けてユーザＩＤを記録してアクティベーションを行うアクティベーション処理手段と、
ダウンロード要求を受けると、当該ユーザがアクティベーションをしているかどうかを判断し、アクティベーションをしていれば、前記担体ＩＤに対応づけて記録されているコンテンツを前記再生装置に対して送信するダウンロード処理手段と、
を備えたサーバ装置。
【請求項５】
コンピュータよってサーバ装置を実現するためのサーバプログラムであって、コンピュータを、
ストリーミング要求、アクティベーション要求またはダウンロード要求を受信する要求受信手段と、
ストリーミング要求を受けると、送信されてきた担体ＩＤに対応付けて記録されているコンテンツを再生装置に対して送信するストリーミング処理手段と、
アクティベーション要求を受けると、担体ＩＤとアクティベーションコードの組合せが予め記録された組み合わせと合致するかどうかを判断し、合致すれば、当該担体ＩＤに対応付けてユーザＩＤを記録してアクティベーションを行うアクティベーション処理手段と、
ダウンロード要求を受けると、当該ユーザがアクティベーションをしているかどうかを判断し、アクティベーションをしていれば、前記担体ＩＤに対応づけて記録されているコンテンツを前記再生装置に対して送信するダウンロード処理手段として機能させるためのサーバプログラム。
【請求項６】
請求項１〜５のいずれかのシステム、装置またはプログラムにおいて、
前記アクティベーションコードは、近距離無線通信にて読み出し可能なように、前記記録担体に記録されており、
前記記録担体の販売時には、前記近距離無線通信ができないように通信を遮断するパッケージに前記記録担体が封入されていることを特徴とするシステム、装置またはプログラム。
【請求項７】
請求項１〜６のいずれかのシステム、装置またはプログラムにおいて、
前記サーバ装置は、既に他人によってアクティベーション済みの担体ＩＤを有する記録担体について、購入要求を受けると、他の担体ＩＤの記録担体について当該ユーザをアクティベーションするとともに対応する楽曲をダウンロードすることを特徴とするシステム、装置またはプログラム。
【請求項８】
請求項７のシステム、装置またはプログラムにおいて、
前記サーバ装置は、前記他の担体ＩＤの記録担体を、購入要求を行ったユーザに発送するための指示を行うことを特徴とするシステム、装置またはプログラム。
【請求項９】
請求項１〜８のいずれかのシステム、装置またはプログラムにおいて、
前記担体ＩＤが前記アクティベーションコードを兼ねていることを特徴とするシステム、装置またはプログラム。
【請求項１０】
請求項１〜９のいずれかのシステム、装置またはプログラムにおいて、
前記アクティベーションコードは、前記記録担体の販売時に、当該記録担体に同梱された用紙に印刷されていることを特徴とするシステム、装置またはプログラム。
【請求項１１】
請求項１〜１０のいずれかのシステム、装置またはプログラムにおいて、
前記コンテンツ再生手段は、コンテンツ再生時に、前記記録担体に表示されたジャケット絵柄と同じ絵柄を表示することを特徴とするシステム、装置またはプログラム。
【請求項１２】
請求項１〜１１のいずれかのシステム、装置またはプログラムにおいて、
前記コンテンツは、音楽、書籍または映画のいずれかであることを特徴とするシステム、装置またはプログラム。
【請求項１３】
近距離無線通信の可能な端末装置からの電波を受けるアンテナと、
受信した電波に基づいて電力を得る電源部と、
担体ＩＤを記録した記録部と、
電源部による電力供給を受けて、前記端末装置と通信を行い、ダウンロードまたはストリーミングを行う楽曲と対応付けられ、前記記録部に記録されている前記担体ＩＤを通信部によって送信する送信手段と、
を備えた記録担体。
【請求項１４】
請求項１３の記録担体において、
記録部には、楽曲の権利を確認するためのアクティベーションコードが記録されていることを特徴とする記録担体。
【請求項１５】
請求項１３または１４の記録担体において、
販売時に当該記録担体は、近距離無線通信ができないようにするためのパッケージに封入されていることを特徴とする記録担体。
【発明の詳細な説明】
【技術分野】
【０００１】
この発明は、コンテンツ再生システムに関するものである。
【背景技術】
【０００２】
音楽の提供形態は、レコードからコンパクトディスク（ＣＤ）に変わり、さらに記録担体（記録媒体）を使用しないダウンロードやストリーミングに変化してきた。ダウンロードやストリーミングは記録担体を使用しないという点で流通コストを抑えることができるという利点があり、広く用いられている。
【０００３】
このように記録担体を使用しないダウンロードやストリーミングでは、記録担体を持っていなくとも再生が可能であり利便性が高いものの、権利を持たないものが複製を行ったり再生を行ったりする問題が生じやすかった。
【０００４】
このため、従来、権利を購入した本人であることを認証した上でなければダウンロードできないようにしたり、ダウンロードを自由に可能とした上で権利を購入した本人であることを認証した上でなければ再生できないようにしたりするシステム（特許文献１参照）が提案されている。
【０００５】
このように、記録担体をなくすことでもたらされる問題点を解決しつつ、記録担体を用いないことによるメリットを得るような多くの工夫が提案されている。
【先行技術文献】
【特許文献】
【０００６】
【特許文献１】特開２０１１−２１６０９９
【特許文献２】特開２０１５−４１２８０
【発明の概要】
【発明が解決しようとする課題】
【０００７】
しかしながら、上記のような従来技術においては、音楽などのコンテンツの再生と複製を区別することなく、正当な権利者でなければこれらを行えないように制限をかけるようにしている。このため、節度のある範囲内での再生については著作権者も許可をし、違法な複製については制限をしたいという要望があるにもかかわらず、これに適したシステムを構築できていなかった。
【０００８】
たとえば、特許文献２においては、権利情報を記録した媒体が再生機器の近くにあることを条件として、サーバ装置からの音楽コンテンツのストリーミング再生やダウンロード複製を可能としている。これにより、権利情報を記録した媒体を持っていなければ、再生も複製もできないので、違法な利用を防止することができる。
【０００９】
しかしながら、上記特許文献２においても、ストリーミング再生とダウンロード複製を区別せずに，許可・不許可を決定している。一般に、コンテンツの著作権者は、複製についてはセンシティブであるものの、個人的に利用するための再生については複製に比べると許容度が高いと考えられる。
【００１０】
したがって、ストーリンミング再生については比較的緩やかに許可し、ダウンロード複製については再生よりも厳しい条件を付して許可するようなシステムが望まれていた。
【００１１】
この発明は、上記のような問題点を解決して、コンテンツの再生を比較的自由にしてコンテンツの存在を世間に広めることを容易にしつつ、複製については制限をかけて権利保護を適切に図ることのできるシステムを提供することを目的とする。
【課題を解決するための手段】
【００１２】
この発明の独立して適用可能な側面を以下に列挙する。
【００１３】
(1)-(5)この発明に係る再生システムは、記録担体と端末装置とサーバ装置を備えた再生システムにおいて、
前記記録担体は、近距離無線通信の可能な端末装置からの電波を受けるアンテナと、受信した電波に基づいて電力を得る電源部と、担体ＩＤを記録した記録部と、電源部による電力供給を受けて、前記端末装置と通信を行い、前記記録部に記録されている前記担体ＩＤを通信部によって送信する送信手段とを備え、
前記端末装置は、近距離無線通信を行うためのアンテナと、前記アンテナを介して、前記記録担体から担体ＩＤを通信部により受信するＩＤ受信手段と、記録担体に対応付けて保持されているアクティベーションコードを取得するアクティベーションコード取得手段と、少なくとも前記受信した担体ＩＤを伴ってサーバ装置に対してストリーミング要求を送信し、少なくとも前記受信した担体ＩＤとアクティベーションコードとユーザＩＤを伴ってサーバ装置に対してアクティベーション要求を送信し、少なくともコンテンツＩＤとユーザＩＤを伴ってダウンロード要求を送信する要求送信手段と、サーバ装置から送信されてくるコンテンツを受信するコンテンツ受信手段と、ストリーミング要求に対してサーバ装置から送信されてくるコンテンツを恒久的に記録せず再生しまたは恒久的に記録されたコンテンツを再生するコンテンツ再生手段と、ダウンロード要求に対してサーバ装置から送信されてくるコンテンツを恒久的に記録するコンテンツ記録手段とを備え、
前記サーバ装置は、ストリーミング要求、アクティベーション要求またはダウンロード要求を受信する要求受信手段と、ストリーミング要求を受けると、送信されてきた前記担体ＩＤに対応付けて記録されているコンテンツを前記再生装置に対して送信するストリーミング処理手段と、アクティベーション要求を受けると、担体ＩＤとアクティベーションコードの組合せが予め記録された組み合わせと合致するかどうかを判断し、合致すれば、当該担体ＩＤに対応付けてユーザＩＤを記録してアクティベーションを行うアクティベーション処理手段と、ダウンロード要求を受けると、当該ユーザがアクティベーションをしているかどうかを判断し、アクティベーションをしていれば、前記担体ＩＤに対応づけて記録されているコンテンツを前記再生装置に対して送信するダウンロード処理手段とを備えている。
【００１４】
したがって、担体ＩＤが近くにあれば権利を持たない者もストリーミングによる再生が可能であり、権利を持つ者はダウンロードを行って再生を行うことができる。
【００１５】
(6)この発明に係るシステムは、アクティベーションコードは、近距離無線通信にて読み出し可能なように、前記記録担体に記録されており、前記記録担体の販売時には、前記近距離無線通信ができないように通信を遮断するパッケージに前記記録担体が封入されていることを特徴としている。
【００１６】
したがって、購入後にパッケージを開封して初めて近距離無線通信にてアクティベーションコードが取得可能となる。
【００１７】
(7)この発明に係るシステムは、サーバ装置は、既に他人によってアクティベーション済みの担体ＩＤを有する記録担体について、購入要求を受けると、他の担体ＩＤの記録担体について当該ユーザをアクティベーションするとともに対応する楽曲をダウンロードすることを特徴としている。
【００１８】
したがって、既にアクティベーション済みの記録担体がある場合に、当該記録担体の楽曲をダウンロード購入することができる。
【００１９】
(8)この発明に係るシステムは、サーバ装置は、前記他の担体ＩＤの記録担体を、購入要求を行ったユーザに発送するための指示を行うことを特徴としている。
【００２０】
したがって、ダウンロード購入後に、記録担体を入手することができる。
【００２１】
(9)この発明に係るシステムは、担体ＩＤが前記アクティベーションコードを兼ねていることを特徴としている。
【００２２】
したがって、処理が簡素化される。
【００２３】
(10)この発明に係るシステムは、アクティベーションコードは、前記記録担体の販売時に、当該記録担体に同梱された用紙に印刷されていることを特徴としている。
【００２４】
したがって、購入後に同梱された用紙によってアクティベーションコードを知ることができる。
【００２５】
(11)この発明に係るシステムは、コンテンツ再生手段は、コンテンツ再生時に、前記記録担体に表示されたジャケット絵柄と同じ絵柄を表示することを特徴としている。
【００２６】
したがって、現在再生中の楽曲と記録担体との関連を明確にすることができる。
【００２７】
(12)この発明に係るシステムは、コンテンツは、音楽、書籍または映画のいずれかであることを特徴としている。
【００２８】
したがって、音楽、書籍または映画について、記録担体によるストリーミング、ダウンロードを実現することができる。
【００２９】
(13)この発明に係る記録担体は、近距離無線通信の可能な端末装置からの電波を受けるアンテナと、受信した電波に基づいて電力を得る電源部と、担体ＩＤを記録した記録部と、電源部による電力供給を受けて、前記端末装置と通信を行い、ダウンロードまたはストリーミングを行う楽曲と対応付けられ、前記記録部に記録されている前記担体ＩＤを通信部によって送信する送信手段とを備えている。
【００３０】
したがって、記録担体の存在に基づいて、対応付けられた楽曲のストリーミングやダウンロードを行うことができる。
【００３１】
(14)この発明に係る記録担体は、記録部には、楽曲の権利を確認するためのアクティベーションコードが記録されていることを特徴としている。
【００３２】
したがって、近距離通信を介して取得したアクティベーションコードによって権利の確認を行うことができる。
【００３３】
(15)この発明に係る記録担体は、販売時に当該記録担体は、近距離無線通信ができないようにするためのパッケージに封入されていることを特徴としている。
【００３４】
したがって、購入しないとアクティベーションコードを取得するための近距離通信が行えなくなっている。
【００３５】
「ＩＤ受信手段」は、実施形態においては、ステップＳ２がこれに対応する。
【００３６】
「アクティベーションコード取得手段」は、実施形態においては、ステップＳ１６がこれに対応する。
【００３７】
「要求送信手段」は、実施形態においては、ステップＳ７、Ｓ１２がこれに対応する。
【００３８】
「コンテンツ再生手段」は、実施形態においては、ステップＳ８、Ｓ１４がこれに対応する。
【００３９】
「コンテンツ記録手段」は、実施形態においては、ステップＳ１３がこれに対応する。
【００４０】
「要求受信手段」は、実施形態においては、ステップＳ７、Ｓ１２、Ｓ１５に応じるサーバ装置の処理がこれに対応する。
【００４１】
「ストリーミング処理手段」は、実施形態においては、ステップＳ９２がこれに対応する。
【００４２】
「アクティベーション処理手段」は、実施形態においては、ステップＳ９７がこれに対応する。
【００４３】
「ダウンロード処理手段」は、実施形態においては、ステップＳ９３がこれに対応する。
【００４４】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００４５】
【図１】この発明の一実施形態による再生システムの機能ブロック図である。
【図２】再生システムのシステム構成である。
【図３】記録担体２０の構造を示す図である。
【図４】記録担体２０のハードウエア構成である。
【図５Ａ】端末装置４０のハードウエア構成である。
【図５Ｂ】サーバ装置６０のハードウエア構成である。
【図６】再生処理のフローチャートである。
【図７】再生処理のフローチャートである。
【図８】再生処理のフローチャートである。
【図９】図９Ａは担体ＩＤと楽曲ＩＤの対応を記録したテーブル、図９Ｂは楽曲ＩＤと楽曲面などを記録したテーブルである。
【図１０】記録担体２０が近くにある場合の初期画面である。
【図１１】担体ＩＤとアクティベーションＩＤとの対応を示すテーブルである。
【図１２】記録担体２０が近くにない場合の画面である。
【図１３】他の例によるアクティベーション処理を示すフローチャートである。
【図１４】サーバ装置６０に対する購入要求を行うフローチャートである。
【図１５】購入のための画面例である。
【発明を実施するための形態】
【００４６】
１．機能ブロック図
図１に、この発明の一実施形態による再生システムの機能ブロック図を示す。この再生システムは、担体ＩＤ３２を記録した記録担体２０、コンテンツを再生するための端末装置４０、コンテンツを記録しているサーバ装置６０を備えている。
【００４７】
端末装置４０を記録担体２０に近接させると、記録担体２０の電源部３０は、アンテナ２６にて受信した信号から電源電圧を得て各部に供給する。これにより、送信手段２２は、記録部２８に記録されている担体ＩＤ３２を、通信部２４によって送信する。端末装置４０のＩＤ受信手段５０は、アンテナ４２を介してこれを受信し担体ＩＤ３２を得る。
【００４８】
要求送信手段４４は、ユーザの操作に基づいて、ストリーミング要求をサーバ装置６０に送信する。ストリーミング要求には、取得した担体ＩＤ３２が含まれている。サーバ装置６０の要求受信手段６６は、このストリーミング要求を受信する。ストリーミング処理手段６８は、受信した担体ＩＤ３２に対応づけて記録されているコンテンツ７６を、端末装置４０に送信する。
【００４９】
端末装置４０のコンテンツ受信手段４６は、このコンテンツ７６を受信し、コンテンツ再生手段５２に与える。コンテンツ再生手段５２は、取得したコンテンツを出力部５８にて再生し出力する。
【００５０】
なお、上記のように、記録担体２０が端末装置４０の近傍にあれば、コンテンツのストリーミング再生を行うことができる。この際、コンテンツは記録部５４に記録されない。
【００５１】
この実施形態では、上記のようなストリーミング再生だけでなく、アクティベーションを行って、コンテンツをダウンロードして記録し再生することも可能としている。
【００５２】
ユーザがアクティベーションを行う際には、記録担体２０に紐付けられているアクティベーションコードが必要である。たとえば、記録担体２０の販売時に同梱されているアクティベーションコードを端末装置４０に入力する必要がある。
【００５３】
要求送信手段４４は、このアクティベーションコードと担体ＩＤ３２、ユーザＩＤを伴って、アクティベーション要求をサーバ装置６０に送信する。サーバ装置６０の要求受信手段６６は、アクティベーション要求を受信する。
【００５４】
アクティベーション処理手段６２は、送信されてきた担体ＩＤ３２に対応付けて記録されているアクティベーションコード７４を取得し、これが送信されてきたアクティベーションコードと合致しているかを判断する。合致していれば、正当なアクティベーション要求であると判断し、当該担体ＩＤ３２、コンテンツ７６のコンテンツＩＤに対応付けて、ユーザＩＤを記録する。
【００５５】
アクティベーションがなされると、当該ユーザは、当該コンテンツ７６について、ストリーミングだけでなくダウンロードして取得することができる資格を得ることになる。
【００５６】
ユーザがダウンロードを行う際には、コンテンツＩＤ、ユーザＩＤを伴ったダウンロード要求を行う必要がある。要求送信手段４４は、このダウンロード要求を、サーバ装置６０に送信する。
【００５７】
サーバ装置６０の要求受信手段６６は、これを受信する。ダウンロード処理手段７０は、送信されてきたコンテンツＩＤに対応付けてユーザＩＤが登録されてアクティベーションされているかどうかを判断する。アクティベーションがなされていれば、ダウンロード処理手段７０は、当該コンテンツ７６を端末装置４０に送信する。
【００５８】
端末装置４０のコンテンツ記録手段４８は、受信したコンテンツを記録部５４に記録する。このように記録されたコンテンツは、随時、端末装置４０において再生することができる。すなわち、端末装置４０のコンテンツ再生手段５２は、記録部５４に記録されたコンテンツを読み出して出力部５８に与えて再生する。
【００５９】
以上のようにして記録担体２０を購入しアクティベーションコードを有するユーザは、コンテンツをダウンロードすることが可能である。また、記録担体２０が近傍にあればその所有者でなくともコンテンツのストリーミング再生を可能とすることができる。
【００６０】
２．システム構成およびハードウエア構成
図２に、この実施形態によるシステム構成を示す。この実施形態では、図３に示すような円盤状（たとえば、直径４ｃｍ、厚み３ｍｍ）の記録担体２０を用いている。この記録担体２０は、筐体２７の中央凹部にＮＦＣチップ・アンテナモジュール２５が収納され、その上にレーベル２３が被せられ、さらにその上に透明樹脂２１が設けられている。ＮＦＣチップ・アンテナモジュール２５には、中央部に制御回路、不揮発性メモリが設けられ、周辺にアンテナが設けられている。
【００６１】
図４に、記録担体２０のハードウエア構成を示す。不揮発性メモリ２８には、記録担体２０ごとにユニークに付された担体ＩＤ３２が記録されている。制御回路２５１は、不揮発性メモリ２８に記録されている担体ＩＤ３２を読み出して、近距離通信回路２４に与える。近距離通信回路２４は、これをアンテナ２６を介して送信する。この実施形態では、近距離通信の方式として、ＮＦＣを用いるようにしている。電磁誘導方式あるいは電波方式のＲＦＩＤなど、他の方式を用いるようにしてもよい。
【００６２】
図５Ａに、端末装置４０のハードウエア構成を示す。この実施形態では、端末装置４０としてを用いているが、タブレット、ノートＰＣ、ディスクトップＰＣなどを用いてもよい。ＣＰＵ５１０には、メモリ５１２、通信回路５１４、不揮発性メモリ５１６、タッチスクリーン５１８、スピーカ５２０（イヤホンなどの他の再生装置でもよい）が接続されている。通信回路５１４は、インターネットに接続するためのものである。なお、スマートフォン４０の通話関係のハードウエアについては省略している。
【００６３】
不揮発性メモリ５１６には、オペレーティングシステム５２２、端末プログラム５２４が記録されている。端末プログラム５２４は、オペレーティングシステム５２２と協働してその機能を発揮するものである。
【００６４】
図５Ｂに、サーバ装置６０のハードウエア構成を示す。ＣＰＵ６１０には、メモリ６１２、通信回路６１４、ハードディスク６１６、ＣＤ−ＲＯＭドライブ６１８、キーボード／マウス６２０が接続されている。通信回路６１４は、インターネットに接続するためのものである。
【００６５】
ハードディスク６１６には、オペレーティングシステム６２２、サーバプログラム６２４が記録されている。サーバプログラム６２４は、オペレーティングシステム６２２と協働してその機能を発揮するものである。これらプログラムは、ＣＤ−ＲＯＭ６２６に記録されていたものを、ＣＤ−ＲＯＭドライブ６１８を介して、ハードディスク６１６にインストールしたものである。
【００６６】
３．コンテンツ再生処理
コンテンツ再生処理のフローチャートを、図６〜図８に示す。端末装置として表示しているものは端末プログラム５２４のフローチャートであり、サーバ装置として表示しているものはサーバプログラム６２４のフローチャートである。
【００６７】
3.1記録担体２０が近くにある場合の処理
端末プログラム５２４を起動すると、端末装置４０のＣＰＵ５１０（以下、端末装置４０と省略することがある）は、端末装置４０のデバイスＩＤ（スマートフォンの機体番号など）、ユーザ情報（ユーザのメールアドレスなど）、端末プログラム５２４のバージョン情報などを取得する（ステップＳ１）。ユーザ情報は、当該端末プログラム４０をインストールした際に、ユーザが入力したものである。
【００６８】
図３に示す記録担体２０に、ユーザが端末装置４０を近づけると、記録担体２０の電源部３０は、アンテナ２６にて受信した信号から電源電圧を得て各部に供給する。これにより、記録担体２０は、記録部２８に記録されている担体ＩＤ３２を、通信部２４によって送信する。端末装置４０は、アンテナ４２を介してこれを受信し担体ＩＤ３２を得る。
【００６９】
端末装置４０は、担体ＩＤが取得できたかどうかを判断する（ステップＳ２）。記録担体２０が近くにあると、担体ＩＤが取得できるので、端末装置４０は、取得した担体ＩＤを伴って、サーバ装置６０に楽曲情報の要求を行う（ステップＳ３）。
【００７０】
サーバ装置６０のハードディスク６１６には、図９Ａに示すように、担体ＩＤと楽曲ＩＤが対応付けて記録されている。また、図９Ｂに示すように、各楽曲ＩＤに対応付けて、楽曲名、アーチスト名、ジャケット写真、ストリーミングのためのＵＲＬ、ダウンロードのためのＵＲＬなどが記録されている。なお、この実施形態では、一つの記録担体３２に複数の楽曲を対応付けるようにしている。したがって、具体的な楽曲は、楽曲ＩＤにサブＩＤを付加したものによって特定される。楽曲ＩＤにサブＩＤを付加したものが、具体的に楽曲を特定するための楽曲ＩＤとなる。
【００７１】
サーバ装置６０のＣＰＵ６１０（以下、サーバ装置６０と省略することがある）は、端末装置４０から送信されてきた担体ＩＤに基づいて、対応する楽曲の情報を、当該端末装置４０に送信する（ステップ９１）。たとえば、楽曲ＩＤが２９１３の場合には、サブＩＤが１〜３まであるので、これら３つの楽曲についての情報が送信されることになる。
【００７２】
端末装置４０は、受信した楽曲情報を、タッチスクリーン５１８に表示する（ステップＳ４）。図１０Ａに、その表示例を示す。ジャケット写真２００とともに、楽曲名２０４、２０６、２０８が表示されている。ジャケット写真２００は、記録担体２０のレーベル２３に表示されたジャケット写真と同じものを用いるようにしている。これにより、ユーザは。現在再生中の楽曲と記録担体２０との関連を明確に認識することができる。
【００７３】
端末装置４０は、当該楽曲がダウンロード済みであるかどうか判断する（ステップＳ５）。ここでは、ダウンロード済みでないものとして説明を進める。すなわち、ステップＳ６の処理が行われる。
【００７４】
次に、端末装置４０は、アクティベートボタン２０２が押されたかどうかを判断する（ステップＳ６）。ここでは、アクティベートボタン２０２が押されなかったものとして説明を進める。すなわち、ステップＳ７の処理が行われる。
【００７５】
ステップＳ７において、端末装置４０は、楽曲２０４のストリーミング再生を、サーバ装置６０に要求する（ステップＳ７）。この要求は、サブＩＤを含む楽曲ＩＤを伴ってサーバ装置６０に送信される。
【００７６】
サーバ装置６０は、受信したサブＩＤを含む楽曲ＩＤに基づいて楽曲を特定し、当該楽曲のデータを送信する（ステップＳ９２）。具体的には、当該楽曲データをストリーミングするためのＵＲＬ（ストリーミングＵＲＬ）を送信する。
【００７７】
端末装置４０は、このストリーミングＵＲＬを受信し、当該ＵＲＬから楽曲データを受信し、スピーカ５２０から再生する（ステップＳ８)。
【００７８】
なお、この実施形態では、楽曲２０４のストリーミング再生が終了すると次の楽曲２０６のストリーミング再生が開始される。同様にして、楽曲２０８もストリーミング再生されることになる。また、ユーザが、端末装置４０において、いずれかの楽曲を選択すると、当該楽曲のみが再生されることになる。なお、いずれの楽曲がストリーミング再生されたかは、再生日時、ユーザ情報とともに、サーバ装置６０において記録される。
【００７９】
また、この実施形態では、一度でも再生された楽曲の情報（楽曲ＩＤ、楽曲名、アーチスト名、ジャケット写真など）は、履歴として不揮発性メモリ５１６に記録される。
【００８０】
以上のようにして、記録担体２０に端末装置４０をかざすだけで、楽曲のストリーミング再生を行うことができる。このストリーミング再生は、記録担体２０が近くにあれば、記録担体２０の所有者でなくとも行うことができる。
【００８１】
上記のように、ストリーミング再生は、記録担体２０を購入した者でなくとも、誰でも行うことができる。一方、記録担体２０を購入した者は、アクティベーション処理（権利確認の登録処理）を行って、品質のよい（たとえば、ハイレゾリューションなど）楽曲をダウンロードすることができる。これにより、端末装置４０がインターネットに接続されていなくとも、楽曲を再生できる。また、品質よく楽曲を再生することができる。
【００８２】
図６のステップＳ６において、図１０Ａのアクティベートボタン２０２が押された場合の処理（アクティベーション処理）フローチャートを、図８に示す。ユーザによりアクティベートボタン２０２がクリックされると、端末装置４０は、アクティベーション要求をサーバ装置６０に送信する（ステップＳ１５）。このアクティベーション要求においては、担体ＩＤ、ユーザ情報などが送信される。
【００８３】
サーバ装置６０は、このアクティベーション要求を受けて、アクティベーション処理のための画面を、端末装置４０に送信する（ステップＳ９４）。端末装置４０に表示されたアクティベーション画面の例を図１０Ｂに示す。この画面には、アクティベーションＩＤを入力するための入力欄２１０が設けられている。
【００８４】
ユーザは、端末装置４０を操作し、この入力欄２１０に、記録担体２１０を購入した際に同梱されていた紙に記載されているアクティベーションＩＤを入力し、送信ボタン２１２をクリックする。これにより、アクティベーションＩＤがサーバ装置６０に送信される（ステップＳ１６）。
【００８５】
サーバ装置６０には、図１１Ａに示すように、各担体ＩＤに対応付けてアクティベーションＩＤが記録されている。記録担体２０を販売する際には、対応するアクティベーションＩＤを印刷した紙を同梱するようにしている。したがって、記録担体２０を購入したユーザは、このアクティベーションＩＤを知ることができる。
【００８６】
サーバ装置６０は、端末装置４０から送信されてきた担体ＩＤとアクティベーションＩＤの組合せが、予め記録されたものと合致するかどうかを判断する（ステップＳ９５）。合致すれば、図１１Ｂに示すように、当該担体ＩＤに対応付けてユーザＩＤを書き込み、アクティベーションのフラグを「１」（有）にする。これにより、担体ＩＤ（＝「1030001」）については、fine@furutani.jpのユーザがアクティベーション済みであることが記録される。
【００８７】
したがって、この後に、他のユーザが同じ記録担体２０についてアクティベーションを行った場合、たとえ、アクティベーションＩＤが合致したとしても拒否され、不許可の通知が送信される。
【００８８】
同様に、アクティベーションコードが合致しない場合にも、不許可の通知が送信される（ステップＳ９６）。
【００８９】
アクティベーションが正しく行われた場合には、サーバ装置６０は、アクティベーション完了の通知を端末装置４０に送信する（ステップＳ９７）。
【００９０】
端末装置４０は、アクティベーションが許可された場合、担体ＩＤ、楽曲ＩＤ、楽曲名などとともにアクティベーション済みである旨を不揮発性メモリ５１６に記録する。さらに、上記の許可・不許可の通知をタッチスクリーン５１８に表示する（ステップＳ１７）。
【００９１】
その後、端末装置４０は、図１２Ｂに示すような画面を表示し、各楽曲の再生が選択されるか、ダウンロードボタン２２０が選択されるかを待つ（図７、ステップＳ１１）。
【００９２】
再生ボタンがクリック（楽曲の選択により再生ボタンのクリックとなる）されると、図４のステップＳ７以下を実行し、ストリーミング再生を行う。
【００９３】
ダウンロードボタン２２０がクリックされると、端末装置４０は、楽曲ＩＤを伴ったダウンロード要求を、サーバ装置６０に送信する（ステップＳ１２）。サーバ装置６０は、これを受けて、当該楽曲ＩＤに対応する楽曲データを端末装置４０に送信する（ステップＳ９３）。具体的には、楽曲ＩＤに対応づけて記録されているダウンロードＵＲＬ（図９Ｂ参照）を端末装置４０に送信する。端末装置４０は、このダウンロードＵＲＬから、楽曲のデータをダウンロードし不揮発性メモリ５１６に記録する（ステップＳ１３）。
【００９４】
続いて、端末装置４０は、記録された楽曲データを読み出し、スピーカ５２０から再生する（ステップＳ１４）。
【００９５】
なお、図６のステップＳ５において、取得した媒体ＩＤに対応付けられた楽曲が、上記のようにして既にダウンロード済みであれば、図７のステップＳ１４に進み、再生を行う。
【００９６】
3.2記録担体２０が近くにない場合の処理
上記では、端末装置４０の近くに記録担体２０がある場合について説明した。以下では、記録担体２０が近くにない場合について説明する。
【００９７】
この場合、端末装置４０は記録担体２０の担体ＩＤを取得できない、したがって、ステップＳ２から、図７のステップＳ９に進む。
【００９８】
ステップＳ９において、端末装置４０は、不揮発性メモリ５１６に記録されているアクティベーション済みの楽曲ＩＤ、楽曲名、ジャケット写真などを取得し、これを一覧にてタッチスクリーン５１８に表示する（ステップＳ９）。表示例を、図１２Ａに示す。
【００９９】
ユーザによっていずれかの楽曲のジャケット写真が選択されると、端末装置４０は、当該楽曲が既にダウンロード済みであるかどうかを判断する（ステップＳ１０）。ダウンロード済みでなければ図１２Ｂに示すように、当該楽曲の画面を表示するとともにダウンロードボタン２２０を表示する。その後、ステップ１１以下の処理を実行する。その処理内容は上記にて説明したとおりである。
【０１００】
ダウンロード済みであれば、図１２Ｃに示すように、当該楽曲の画面を表示するとともに、当該楽曲がダウンロード済みである旨のマーク２３２を表示する。その後、不揮発性メモリ５１６に記録された楽曲データを順次読み出し、スピーカ５２０から再生する（ステップＳ１４）。なお、ユーザが表示されている複数の楽曲のうちのいずれかの楽曲を選択した場合には、当該楽曲を再生する。
【０１０１】
なお、この実施形態では、購入した一つの記録担体２０につき、所定個数（たとえば５個）の端末装置４０においてダウンロード可能としている。このため、サーバ装置６０においては、楽曲のダウンロードを行った際に、当該端末装置４０のデバイスＩＤを記録するようにしている。記録担体２０に関連して所定個以上のデバイスＩＤからのダウンロード要求があった場合には、これを拒否するようにしている。
【０１０２】
４．その他
(1)上記実施形態においては、アクティベーションＩＤを記録担体２０に同梱して販売するようにしている。しかし、記録担体２０にアクティベーションＩＤを記録しておき、これを近距離通信にて端末装置４０にて読み出すようにしてもよい。
【０１０３】
この場合、ステップＳ９４においてアクティベーション画面が送信されてくると、端末装置４０は近距離通信にてアクティベーションＩＤを取得し（あるいは予め取得済みのアクティベーションＩＤを）、これをサーバ装置６０に送信する。
【０１０４】
また、この場合、販売時に、記録担体２０を電磁シールド性の素材（導電性素材など）で包装し、近距離通信ができないようにしておくことが好ましい。購入したユーザは、包装を破いて、端末装置４０を近づけてアクティベーションＩＤを取得することができる。
【０１０５】
(2)上記実施形態では、担体ＩＤとは別にアクティベーションＩＤを設けるようにしている。しかし、担体ＩＤによってアクティベーションＩＤを兼ねるようにしてもよい。したがって、この場合には、図１３に示すように、ステップＳ１５のアクティベーション要求において担体ＩＤを伴うようにし、ステップＳ９５にて当該担体ＩＤが正しいかどうかを判断する。
【０１０６】
(3)上記実施形態では、アクティベーションを行うことで、高品質の楽曲データをダウンロードできるようにしている。しかし、ストリーミングと同様の品質の楽曲データをダウンロードできるようにしてもよい。この場合であっても、通信環境のないところで聞けるというメリットがある。
【０１０７】
また、アクティベーションを行うことで、高品質の楽曲データをストリーミングできるようにしてもよい。
【０１０８】
すなわち、アクティベーションにより、ストリーミング再生ではなくダウンロードによる記録再生を可能とするか、あるいは、通常品質の楽曲データではなく高品質の楽曲データを提供可能とすることができる。
【０１０９】
(4)上記実施形態では、記録担体２０を購入した者、またはその者から譲渡を受けた者がアクティベーションを行うことが可能となっている。
【０１１０】
ただし、既にアクティベーション済みの記録担体２０に端末装置４０をかざすことで、購入者以外でもストリーミングにより楽曲データを再生することができる。この時、購入者以外のユーザが、ストリーミングによる楽曲データの再生によって、当該楽曲データの購入を希望する場合には、当該楽曲の記録担体２０を購入する必要がある。
【０１１１】
しかし、図１４に示すように、記録担体２０の購入要求をサーバ装置６０に対して行うことができるようにしてもよい。
【０１１２】
端末装置４０の購入ボタンがクリックされると（あるいはアクティベーション済みの記録担体２０について他の人がアクティベーション要求を行うと）、サーバ装置６０は、購入画面を送信する（ステップＳ１１０）。図１５に、購入画面の例を示す。記録担体２０の送付先住所、氏名などの他、決済方法を選択して送信ボタンをクリックする。なお、決済方法によってはサブメニューにて必要項目（カード番号など）を入力した上で、送信ボタンをクリックする。これにより、購入情報がサーバ装置６０に送信される（ステップＳ３３）。この際、ユーザＩＤやデバイスＩＤなども併せて送信される。
【０１１３】
これを受信したサーバ装置６０は、当該情報に基づいてアクティベーションを行うとともに、楽曲データのダウンロードを行う（ステップＳ１１１）。端末装置４０は楽曲データを記録し（ステップＳ３４）、再生を行う（ステップＳ３５）。したがって、購入によりすぐに高品質の楽曲データを再生することができる。
【０１１４】
サーバ装置６０は、送信されてきた送付先住所などに基づいて記録担体２０を発送するように、発送システム（図示せず）に依頼を行う（ステップＳ１１２）。また、これにあわせて、担体ＩＤとユーザＩＤを対応づけて記録する。
【０１１５】
このようにして、サーバ装置６０に対して購入要求を行うことにより、直ちに楽曲データをダウンロードでき、後日、記録担体２０を取得することができる。
【０１１６】
(5)上記実施形態では、楽曲データをコンテンツとしてストリーミングまたはダウンロード対象としている。しかし、動画、静止画（写真集など）、ゲーム、コンサートなどのチケットを対象とすることもできる。
【０１１７】
また、販売だけでなく、ノベルティ、パンフレット、名刺、店舗カード、会員証などの販促ツールをコンテンツとしてもよい。
【０１１８】
(6)上記実施形態では、ストリーミング用のＵＲＬ、ダウンロード用のＵＲＬを送信するようにしているが、直接、楽曲データをストリーミング、ダウンロードするようにしてもよい。
【図１】
2020198029.tif 000003
【図２】
2020198029.tif 000004
【図３】
2020198029.tif 000005
【図４】
2020198029.tif 000006
【図５Ａ】
2020198029.tif 000007
【図５Ｂ】
2020198029.tif 000008
【図６】
2020198029.tif 000009
【図７】
2020198029.tif 000010
【図８】
2020198029.tif 000011
【図９】
2020198029.tif 000012
【図１０】
2020198029.tif 000013
【図１１】
2020198029.tif 000014
【図１２】
2020198029.tif 000015
【図１３】
2020198029.tif 000016
【図１４】
2020198029.tif 000017
【図１５】
2020198029.tif 000018